(57)【要約】【課題】流量係数を相対的に大きくした噴孔を有するＶＣＯ型の燃料噴射弁を提供する。【解決手段】先端にバルブ部２０ＢＡを有するニードル弁２０と、前記ニードル弁を軸ＡＸ方向に往復動可能に収納すると共に、前記バルブ部２０ＢＡが当接するシート面１３ＳＴを有し、前記バルブ部２０ＢＡが前記シート面１３ＳＴに当接したときに燃料流入口１２ＥＮを閉じるように形成した噴孔１２を有するノズルボディ１０とを含む燃料噴射弁１であって、前記噴孔１２の軸線ＨＡと前記燃料流入口１２ＥＮが形成されている前記シート面１３ＳＴとが直交している。【選択図】    図１
2008038851.tif 000002
【特許請求の範囲】
【請求項１】
先端にバルブ部を有するニードル弁と、前記ニードル弁を軸方向に往復動可能に収納すると共に、前記バルブ部が当接するシート面を有し、前記バルブ部が前記シート面に当接したときに燃料流入口を閉じるように形成した噴孔を有するノズルボディとを、含む燃料噴射弁であって、
前記噴孔の軸線と前記燃料流入口が形成されている前記シート面とが直交している、ことを特徴とする燃料噴射弁。
【請求項２】
前記燃料流入口を、円周溝形状または球面形状の一部に形成してある、ことを特徴とする請求項１に記載の燃料噴射弁。
【請求項３】
先端にバルブ部を有するニードル弁と、前記ニードル弁を軸方向に往復動可能に収納すると共に、前記バルブ部が当接するシート面を有し、前記バルブ部が前記シート面に当接したときに燃料流入口を閉じるように形成した噴孔を有するノズルボディとを、含む燃料噴射弁の製造方法であって、
前記ノズルボディの内側に、前記燃料流入口が形成される前記シート面を含む傾斜した第１の内壁面と、前記第１の内壁面より上方側に位置する円筒状の第２の内壁面とを形成する内面形成ステップと、
前記シート面に、当該シート面に対して垂直な軸線を有する噴孔を形成する噴孔形成ステップとを含む、ことを特徴とする燃料噴射弁の製造方法。
【請求項４】
前記ノズルボディ内に研磨流体を誘導するガイド部材を配置して、前記噴孔の流量係数が向上するように処理する研磨ステップを前記噴孔形成ステップの後に更に含む、ことを特徴とする請求項３に記載の燃料噴射弁の製造方法。
【発明の詳細な説明】
【技術分野】
【０００１】
本発明は、ディーゼルエンジンなどの内燃機関に好適に採用できる燃料噴射弁に関する。より詳細には、いわゆるＶＣＯ（Valve  Covered  Orifice）タイプの燃料噴射弁に関する。
【背景技術】
【０００２】
ディーゼルエンジン、燃料直噴型のガソリンエンジン等の内燃機関では気筒内に燃料を噴射する燃料噴射弁が採用されている。一般な燃料噴射弁は、噴孔を備えたノズルボディ及びこのノズルボディ内で中心軸方向に移動可能なニードル弁を備えている。そして、ニードル弁を移動させることにより、噴孔の開度を調整して燃料が噴射される。このような燃料噴射弁はエンジンの状態に応じて適量の燃料を微粒化させて噴射できるものが好ましいとされ、十分に微粒化した燃料を噴霧することでエミッションの改善や燃費の向上を図ることができる。
【０００３】
従来から、燃料噴射弁についてはサック（Sac）タイプ或いはミニサック（Mini-Sac）を備えたサック型と称される燃料噴射弁と、ＶＣＯ型と称される燃料噴射弁とが知られている。サック側の燃料噴射弁は、ノズルボディの先端に形成した袋状のサック部に噴孔が設けてあり、サック部に溜めた燃料を噴射させる。しかし、燃料溜りとなるサック部があると燃料噴射を停止させた後に、サック部内に残留した燃料が漏れ出してしまう場合がある。これは「後だれ」現象などと称され、この現象が発生すると液滴状の燃料が筒内に入ってしまうので排気エミッションなどを悪化させる要因となる。
【０００４】
そこで、内部に配置したニードル弁を下限位置に下げたときに、先端に形成した円錐形状の一部（この部分をバルブ部と称する）で噴孔の入口（燃料流入口）を閉じるように構成したＶＣＯ（バルブカバードオリフィス）型の燃料噴射弁（以下、ＶＣＯ型燃料噴射弁と称する）が提案されている。このＶＣＯ型燃料噴射弁の場合には、サック型の燃料噴射弁のように燃料溜りの部位に噴孔が形成されていないので上記した後だれの問題を防止できる。
【０００５】
ところが、ＶＣＯ型の燃料噴射弁の場合、ニードル弁のバルブ部でノズルボディの壁面に形成された噴孔の入口を開閉することで燃料の通過量を調整する。よって、燃料噴射の初期は、ニードル弁がノズルボディに着座していた状態からシフト量を小さく引き上げた状態となる。そのためＶＣＯ型の燃料噴射弁における噴射初期は、ノズルボディとニードル弁との間に形成される狭い隙間を燃料が通過して噴孔入口に流れ込む状態となる。よって、噴孔内での燃料圧は小さなものとなり、出口から噴射させる燃料が液柱状となり十分に微粒化を十分できない場合があった。
【０００６】
そこで、特許文献１は改良を加えたＶＣＯ型燃料噴射弁について開示する。この燃料噴射弁は、ノズルボディ（弁本体）の先端にサック部が設けてある。但し、このサック部には噴孔は形成しされていない。この燃料噴射弁は、一般的なＶＣＯ型の燃料噴射弁と同様に、ノズルボディの先端部に形成されたシート面に噴孔が穿設され、ニードル弁の先端部のバルブ部が前記シート面に着座及び離間して噴孔を開閉する。そして、バルブ部の先端側端部付近に、ニードル弁の軸線に対して所定の傾斜角度を有する燃料案内溝が複数刻設してある。
【０００７】
特許文献１の燃料噴射弁は、ニードル弁が離座方向へリフトすると、燃料がシート面とバルブ部との間隙に導かれ、一部の燃料は途中に開口している噴孔へと直接流入する。他の燃料は、その慣性力のために進路を変えることなく、ノズルボディの先端に形成したサック部へと流れる。ここで、ニードル弁のリフト量が少ない噴射初期にあっては、シート面とバルブ部との間隙が狭く燃料の流路が絞られるために、燃料のサック部方向への速度成分は増大し、サック部への燃料流入はより顕著なものとなる。こうして燃料がサック部内に流入すると、サック部が袋状であるので部内の圧力が上昇し、サック部内に流れ込んだ燃料は大きな速度成分を持って、圧力の低い噴孔側へ流れ込ませることができる。
【０００８】
特に、バルブ部の先端側端部に燃料案内溝を形成してあるので、サック部から燃料噴射孔へと流れる燃料に対して流れ方向を制御し、燃料噴射孔内を通過する燃料に強い旋回流を与えることができる。よって、出口から噴射される燃料に噴射方向に対して直角方向に広がる遠心力として作用させて、燃料を微粒化させて空気と混合させることができる。
【０００９】
【特許文献１】特開平５−１４１３２６号公報
【発明の開示】
【発明が解決しようとする課題】
【００１０】
しかしながら、以下で説明するように、ＶＣＯ型燃料噴射弁に関しては、一般に噴孔の流量係数Ｃを大きく取ることができないという構造的な問題がある。
細い管内を流れる流体の流量Ｑは、次の式で求めることができる。
【００１１】
Ｑ＝ＡＶ                （Ｑ：流量、Ａ：管の断面積、Ｖ：速度）
Ｖ＝Ｃ√（２ΔＰ／ρ）  （Ｖ：速度、Ｃ：流速係数、ρは燃料の密度）
なお、燃料噴射弁ではノズルボディに形成した噴孔が管で、燃料が流体に相当する。そして、速度Ｖは噴孔前後の差圧ΔＰと燃料の密度とにより求めることができる。
【００１２】
上記流量係数Ｃは、ノズルボディに形成した噴孔に固有の数値となる。流量係数Ｃが大きい噴孔は、燃料の流速Ｖが速く、流量Ｑが大きくなるので、燃料の微粒化を促進するのに適していることになる。そして、見方を変えると、燃料が流れ易い形状の噴孔は流量係数Ｃが大きいという事になる。例えば、ノズルボディの内壁面に対して軸線が直交するように設けた噴孔は、内壁面に斜めに設けた噴孔と比較して、流量係数を相対的に大きくできる。
【００１３】
しかし、ＶＣＯ型燃料噴射弁は、ノズルボディの傾斜した内壁面に燃料流入口を設けることが必要となる。そして、燃料噴射弁には一定以上の噴霧角度を持って、筒内に燃料を噴射することなどについての要請もある。そのために、従来にあっては、ＶＣＯ型燃料噴射弁に関して流量係数Ｃを大きくする形状について検討がされていなかった。そのため、特許文献１で示す燃料噴射弁を含めて、従来のＶＣＯ型燃料噴射弁は流量係数が小さく、ニードル弁の低リフト時などに燃料を十分に微粒化できない場合があった。よって、ＶＣＯ型燃料噴射弁を採用する内燃機関では、排気エミッションの悪化や燃費低下が懸念される。
【００１４】
したがって、本発明の目的は、流量係数を相対的に大きくした噴孔を有するＶＣＯ型の燃料噴射弁を提供すること、また、このような燃料噴射弁の製造方法を提案することである。
【課題を解決するための手段】
【００１５】
上記目的は、先端にバルブ部を有するニードル弁と、前記ニードル弁を軸方向に往復動可能に収納すると共に、前記バルブ部が当接するシート面を有し、前記バルブ部が前記シート面に当接したときに燃料流入口を閉じるように形成した噴孔を有するノズルボディとを、含む燃料噴射弁であって、前記噴孔の軸線と前記燃料流入口が形成されている前記シート面とが直交している燃料噴射弁により達成できる。
【００１６】
本発明によると、噴孔の軸線と、噴孔の燃料流入口が形成されているノズルボディ内壁面とが直交しているので、噴孔の流量係数を大きくすることができる。噴孔内に燃料をスムーズに流し、出口から十分に微粒化した燃料を噴霧できる。よって、このようなＶＣＯ型燃料噴射弁を採用する内燃機関は、排気エミッション及び燃費を向上させることができる。
【００１７】
また、前記燃料流入口を、円周溝形状または球面形状の一部に形成してあることがより好ましい。このような構造を採用する噴孔の噴霧角の設定について自由度が増すので、ノズルボディを共通使用して種々の燃料噴射弁を製造できる。
【００１８】
また、上記目的は、先端にバルブ部を有するニードル弁と、前記ニードル弁を軸方向に往復動可能に収納すると共に、前記バルブ部が当接するシート面を有し、前記バルブ部が前記シート面に当接したときに燃料流入口を閉じるように形成した噴孔を有するノズルボディとを、含む燃料噴射弁の製造方法であって、前記ノズルボディの内側に、前記燃料流入口が形成される前記シート面を含む傾斜した第１の内壁面と、前記第１の内壁面より上方側に位置する円筒状の第２の内壁面とを形成する内面形成ステップと、前記シート面に、当該シート面に対して垂直な軸線を有する噴孔を形成する噴孔形成ステップとを含む燃料噴射弁の製造方法によっても達成できる。
【００１９】
また、前記ノズルボディ内に研磨流体を誘導するガイド部材を配置して、前記噴孔の流量係数が向上するように処理する研磨ステップを前記噴孔形成ステップの後に更に含むものとしてもよい。
【発明の効果】
【００２０】
本発明によると、流量係数を相対的に大きくした噴孔を有するＶＣＯ型の燃料噴射弁を提供できる。よって、このような燃料噴射弁を採用する内燃機関は、燃料噴霧の微粒化を促進してエミッションや燃費の改善を図ることができる。また、本発明によるとこのような流量係数を大きくした噴孔を有する燃料噴射弁の製造方法を提案できる。
【発明を実施するための最良の形態】
【００２１】
以下、図面を参照して本発明の一実施形態に係るＶＣＯ型燃料噴射弁（以下、単に、燃料噴射弁という）について説明する。
【００２２】
図１は、実施例に係る燃料噴射弁１について示した縦断面図である。燃料噴射弁１は、内部に空間を有している円筒形状のノズルボディ１０と、このノズルボディ１０内に収納されて中心軸ＡＸ方向へ往復動可能に配置されているニードル弁２０とを含んでいる。ノズルボディ１０の内壁面１３は、上側が円筒形状の内壁面１３Ａで、下側が円錐形状の内壁面１３Ｂとなっている。ニードル弁２０が下降したときにバルブ部２０ＢＡが下側の内壁面１３Ｂの一部に当接（着座）して停止する。この位置がニードル弁２０の下限位置であり、これにより燃料噴射弁１は閉弁状態となる。本実施例では、このようにニードル弁２０のバルブ部２０ＢＡが当接する内壁面１３の一部をシート面１３ＳＴと称する。
【００２３】
そして、ノズルボディ１０には中心軸ＡＸ回りに複数の噴孔１２が放射状に形成されている。各噴孔１２の燃料流入口（内側の開口）１２ＥＮはシート面１３ＳＴ上に形成されている。噴孔１２については後に詳述する。
【００２４】
ニードル弁２０の先端は、ノズルボディ１０の内壁面１３と対応して略円錐形状に形成されている。この円錐状形状の所定位置にはノズルボディ１０側のシート面１３ＳＴに当接するように前記バルブ部２０ＢＡが形成されている。
【００２５】
燃料噴射弁１は、図示しないニードル弁移動機構を備えており、ニードル弁が中心軸ＡＸ方向へ移動されて移動量（リフト量）が変更される。このニードル移動機構によって、閉弁位置から上方に小さいリフト量で上方へ移動できる。ノズルボディ１０とニードル弁２０との隙間が極めて僅かであるとき、ニードル弁２０が低リフト位置であり、低リフト状態にあるという。図１で示す燃料噴射弁１は、ＶＣＯ型の燃料噴射弁であり、ニードル弁２０が下降してバルブ部２０ＢＡがノズルボディ１０の内壁面１３Ｂに設けたシート面１３ＳＴに当接して、噴孔１２の入口を閉じる。
【００２６】
ここで、ノズルボディ１０に形成してある噴孔１２についてより詳細に説明する。ノズルボディ１０の下側の内壁面１３Ｂ側の一部がシート面１３ＳＴとなっている。そして、このシート面１３ＳＴに噴孔１２の入口（以下、燃料流入口１２ＥＮ）が形成されている。すなわち、燃料流入口１２ＥＮは、シート面１３ＳＴの一部に形成されている。なお、ノズルボディ１０の出口（燃料噴射口１２ＥＸ）は外周面側に形成されている。
【００２７】
ここで、ノズルボディ１０にあっては、図示しているように、シート面１３ＳＴと噴孔１２の軸線ＨＡとが直交（９０度）するように形成してある。このように噴孔１２を形成することで、前述した流量係数Ｃを従来よりも大きくすることができる。
【００２８】
図１で示している構造によると、従来より流量係数Ｃを大きくできることについて図２を参照して説明する。図２は、右側に図１で説明した実施例のノズルボディの構造を示し、左側に比較例として従来における一般的なノズルボディの構造を示している。なお、噴孔１２の周辺、特に燃料流入口１２ＥＮの部分の相違が確認できるように、左右どちらの構造についても下方に、楕円ＥＬ−Ｒ、ＥＬ−Ｌ部分の拡大図を示してある。
【００２９】
右側に示す実施例の場合、前述したように燃料流入口１２ＥＮと噴孔１２の軸線ＨＡが直交するように、ノズルボディ１０下側の内壁面１３Ｂの一部が加工してある。すなわち、拡大図で示すように、内壁面１３Ｂの本来の位置を規定するのが線１３ＭＬであるが、燃料流入口１２ＥＮが形成される面（シート面１３ＳＴ）は、噴孔１２の軸線ＨＡと直交するように形成してある。よって、燃料流入口１２ＥＮに進入する燃料ＦＥが対称的となってスムーズに流れ込む。すなわち、この噴孔１２は、軸線が斜めとなる従来噴孔の場合と比較して流量係数を増加させた通路となる。なお、この拡大図において破線ＤＬで示している位置が、内壁面１３Ｂの本来の位置を規定する線となる。すなわち、一般に内壁面１３Ｂを規定する線１３ＭＬは破線ＤＬを通るが、本実施例の場合は上記のように異なっている。
【００３０】
一方、左側に示した比較例（従来）の構造は、噴孔１１２の燃料流入口１１２ＥＮがノズルボディ１１０の斜面にそのまま形成している。よって、燃料流入口１１２ＥＮは噴孔１１２の軸線ＨＡに傾斜する（直交しない）状態となる。よって、この比較例の噴孔１１２の場合には、燃料流入口１１２ＥＮに進入する燃料ＦＥの角度がばらばらで流れが軸対称となっていない。すなわち、この比較例の噴孔１１２は流量係数が小さい通路となる。
【００３１】
なお、左図で示すように、燃料流入口１１２ＥＮの開口端部に丸みＲを付ける（アールを付ける）と、噴孔の流量係数を上げることができる。すなわち、燃料流入口１１２ＥＮの開口端に丸みを付けて入口の径を広げた形状とすれば、その噴孔の流量係数を向上させることができる。
【００３２】
ノズルボディに噴孔を設ける手順は一般に次の通りである。ノズルボディの噴孔を設ける位置に、放電加工、レーザ加工、ドリル加工などを施して穿孔する（大略で噴孔を開ける）。その後、研磨流体を流して孔を浚って（さらって）噴孔の内面を整える。そして、従来にあっては、研磨流体による処理時間を調整して噴孔の開口端を調整して、流量係数を確保する（増加させる）場合があった。この様子を模式的にしたのが図３である。燃料流入口１１２ＥＮの開口を広げたり、噴孔の断面積を広げることにより流量係数を増加させることができる。
【００３３】
しかし、従来にあって、噴孔１１２の流量係数を大きくするため、流体研磨の処理を長時間にすると図３の下で示すように噴孔１１２が蛇行してしまう場合があった。このよう現象が生じるのは、図２で説明したように燃料流入口１１２ＥＮと噴孔の軸線ＨＡが傾斜していることが原因であると理解される。このように、従来のＶＣＯ型燃料噴射弁におけるノズルボディ１１０では、燃料流入口１１２ＥＮを含む内壁面１１３と噴孔１１２の軸線ＨＡとが、傾いた位置関係にある（直交する位置関係にない）ために種々の不都合がある。より詳細には、燃料流入口１１２ＥＮに進入する流れが非対称的となるので研磨流体が蛇行しながら流れるため、噴孔１１２内を長時間の浚い加工で管路が蛇行してしまうことになる。
【００３４】
上記に対して、図１で示した構造を備える実施例のノズルボディ１０の場合には、噴孔１２の軸線と燃料流入口１２ＥＮが形成されているシート面１３ＳＴとが直交している。よって、研磨流体を流すときにも対称的な流れとすることができるので、蛇行させることなく噴孔１２の管路を直線的に形成できる。
【００３５】
さらに、図４及び図５を参照して、実施例の燃料噴射弁１の製造工程を説明する。図４（Ａ）は外形加工のステップである。このステップでは、所定の金属材料の外形を加工してノズルボディ１０の外形が規定がされる図４（Ｂ）、（Ｃ）は、内壁面形成の工程である。まず第１の内面形成工程（Ｂ）でノズルボディ１０の下側の円錐状の内壁面（第１の内壁面）１３Ｂが形成される。この工程では、所定の壁面加工具５０をノズルボディ１０内に挿入して加工される。内壁面１３は先端側に前述のシート面１３ＳＴを含んでいる。次の内面形成工程（Ｃ）ではノズルボディ１０上側の円筒形状の内壁面（第２の内壁面）１３Ａが形成される。この工程では、所定の壁面加工具５１をノズルボディ１０内に挿入して加工される。
【００３６】
図４（Ｄ）は、内面加工が完了した後に噴孔１２を穿孔する工程、すなわち噴孔形成ステップについて示している。この工程では、第１の内壁面１３Ｂの一部として形成されたシート面１３ＳＴに噴孔１２が穿孔される。噴孔１２は、ドリル、放電、レーザなど公知の技術を用いて穿孔すればよい。このときに噴孔１２の燃料流入口１２ＥＮはシート面１３ＳＴ上に形成され、軸線がシート面１３ＳＴと直交するようにして噴孔１２が形成される。
【００３７】
以上、図４で示した（Ａ）〜（Ｄ）の製造工程によると燃料流入口１２ＥＮと噴孔１２の軸線ＨＡが直交するようにしたノズルボディ１０を製造することができる。図５は、図４の工程の後、さらに研磨流体を用いて噴孔１２の内面を整える、或いは噴孔の開口端を拡大して流量係数の増加させる場合の工程例を示してある。図５（Ｅ）は、研磨流体（砥粒）を流して流体研磨する工程、すなわち研磨ステップを示している。この研磨ステップでは流体研磨専用のガイド部材５５をノズルボディ１０内に挿入してから、研磨流体ＧＭを噴孔１２に向けて流す。このガイド部材５５の下面５６は平坦であり、噴孔１２の軸線ＨＡと平行となるように形成してある。そして、研磨流体ＧＭが噴孔１２の燃料流入口１２ＥＮに向け真っ直ぐに案内するように、ガイド部材５５が配備してある。
【００３８】
よって、図５（Ｅ）で示す研磨ステップを短時間実行すると噴孔１２を倣い処理して内表面を円滑、スムーズに整えることができる。このように管路内を平滑にする処理によっても流量係数を増加させることができる。また、研磨ステップを一定時間継続すると燃料流入口１２ＥＮの入口端部を拡大できる。よって、流量係数を増加させることができる。図５（Ｆ）は入口の拡大加工後のノズルボディ１０について示した図である。実施例のノズルボディ１０は、前述したように噴孔１２に流入する流れを対称的にできること、また、図５（Ｅ）では研磨流体ＧＭを噴孔１２の中心に向けて真っ直ぐに導くガイド部材５５を用いるので、噴孔１２を直線状の管路とすることができ、更にその入口端部を均一に拡大できる。よって、図５（Ｆ）に示すノズルボディ１０に形成されている噴孔１２は流量係数をより大きくした噴孔となる。
【００３９】
さらに、図６はノズルボディ１０の２つの変形例について示した図である。（Ａ）はノズルボディ１０の内壁面、特に後に燃料流入口１２ＥＮを形成する高さ位置に環状の円周溝３０を予め形成する。そして、この円周溝３０内に燃料流入口１２ＥＮを形成した構造である。また、（Ｂ）はノズルボディ１０の内壁面、特に後に燃料流入口１２ＥＮを形成する位置に半球状凹部３５を予め形成する。そして、この半球状凹部３５内に燃料流入口１２ＥＮを形成した構造である。
【００４０】
図６に示す２つの変形構造は、燃料流入口１２ＥＮ側が拡大するので、前述したところから明らかなように噴孔１２の流量係数を増加できる。そして、図６（Ａ）、（Ｂ）どちらの場合も、噴孔１２の噴射角度（中心軸ＡＸに対する噴孔の軸線ＨＡの角度）が少々ずれても高い流量係数を維持できる。よって、同じノズルボディを共通に使用して、噴射角の異なる燃料噴射を種々製造できる。よって、図６で示す構造は燃料噴射弁の設計の自由度を向上させる。さらに、図６（Ｂ）の構造は、燃料流入口１２ＥＮが球面（お椀状）となるので、流量係数が更に高くなる。この燃料流入口１２ＥＮから流入する燃料は、軸対称性が高い流れとなる。よって、この噴孔は燃料の流量を大きくすることができるので出口から十分に微細化した燃料を噴射できる。
【００４１】
以上で説明した実施例の燃料噴射弁によると噴孔から微粒化した燃料を噴霧できる。よって、このような燃料噴射弁を適用したディーゼルエンジン等の内燃機関は燃費の向上及びエミッションの改善を図ることができる。
【００４２】
以上本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００４３】
【図１】実施例に係る燃料噴射弁について示した縦断面図である。
【図２】右側に図１で説明した実施例のノズルボディの構造を示し、左側に比較例として従来における一般的なノズルボディの構造を示している図である。
【図３】研磨流体を用いた燃料噴射弁の従来の加工法を模式的に示した図である。
【図４】実施例の燃料噴射弁の製造工程例について示した図である。
【図５】図４の工程の後に、実施する製造工程例について示した図である。
【図６】ノズルボディの２つの変形例について示した図である。
【符号の説明】
【００４４】
１                        燃料噴射弁
１０                      ノズルボディ
１２                      噴孔
１２ＥＮ                  燃料流入口
１２ＥＸ                  燃料噴射口
１３                      内壁面
１３Ａ                    第２の内壁面
１３Ｂ                    第１の内壁面
１３ＳＴ                  シート面
２０                      ニードル弁
２０ＢＡ                  バルブ部
ＨＡ                      噴孔の軸線
ＦＥ                      燃料
ＡＸ                      中心軸
【図１】
2008038851.tif 000003
【図２】
2008038851.tif 000004
【図３】
2008038851.tif 000005
【図４】
2008038851.tif 000006
【図５】
2008038851.tif 000007
【図６】
2008038851.tif 000008